【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
絶縁性基板と、光学素子層と、前記光学素子層を駆動する第１電極及び第２電極と、駆動回路と、を含む表示装置であって、
前記駆動回路と電気的に接続された第１パッドと、
一端が前記第１パッドに電気的に接続された電圧供給線と、
前記電圧供給線及び前記第２電極に電気的に接続された共通配線と、
前記電圧供給線と前記共通配線との間に形成されたトランジスタと、
前記電圧供給線の一部であり、分岐部から延在し、前記第１パッドに電気的に接続された分岐配線と、
を備え、
平面視において、前記分岐部は、前記第１パッドよりも前記絶縁性基板の中央側に位置する、表示装置。
【請求項２】
請求項１に記載の表示装置において、
前記駆動回路と電気的に接続された第２パッドと、
画素領域に形成された複数の映像信号線と、
周辺領域に形成された複数の引き出し配線と、
を備え、
前記電圧供給線の他端が前記第２パッドに電気的に接続され、
前記複数の引き出し配線の一つは、前記複数の映像信号線の一つと接続され、
前記複数の引き出し配線は、第１引き出し配線群と第２引き出し配線群とを含み、
前記第１引き出し配線群と前記第２引き出し配線群との間の領域を、前記分岐配線のｄ配線部が延在している、表示装置。
【請求項３】
請求項２に記載の表示装置において、
前記トランジスタを複数有し、複数の前記トランジスタは第１方向に配列しており、
前記電圧供給線は、ａ配線部とｂ配線部とｃ配線部と前記ｄ配線部とを有し、
前記ａ配線部は、前記第１パッドから前記第１方向に交差する第２方向に延在し、
前記ｂ配線部は、前記第２パッドから前記第２方向に延在し、
前記ｃ配線部は、前記第１方向に延在し、前記ａ配線部と前記ｂ配線部との間にあり、
前記第１引き出し配線群は、前記ａ配線部と前記ｄ配線部との間にあり、
前記ｄ配線部の幅は、前記ａ配線部の幅よりも大きい、表示装置。
【請求項４】
請求項１〜３の何れか一項に記載の表示装置において、
前記トランジスタを駆動する第２電極駆動回路と、
画素領域に形成された複数の映像信号線と、
周辺領域に形成された複数の引き出し配線と、
を備え、
前記複数の引き出し配線の一つは、前記複数の映像信号線の一つと接続され、
前記複数の引き出し配線は、第１引き出し配線群と第２引き出し配線群とを含み、
前記第１引き出し配線群と前記第２引き出し配線群との間の領域に、前記第２電極駆動回路が形成されている、表示装置。
【請求項５】
請求項１〜４の何れか一項に記載の表示装置において、
前記電圧供給線は、第１電圧供給線と第２電圧供給線とを有し、
前記トランジスタは、第１トランジスタと第２トランジスタとを有し、
前記第１電圧供給線は、前記分岐配線としての第１分岐配線を有し、
前記第２電圧供給線は、前記分岐配線としての第２分岐配線を有し、
前記第１電圧供給線は、前記第１トランジスタを介して、前記共通配線と電気的に接続されており、
前記第２電圧供給線は、前記第２トランジスタを介して、前記共通配線と電気的に接続されている、表示装置。
【請求項６】
請求項５に記載の表示装置において、
前記第２電極は、画像を表示する表示電極、及び、物体の近接又は接触を検出する検出電極としての機能を有しており、
前記第１電圧供給線は、前記第２電極が前記表示電極として機能する期間に、電圧を供給する配線であり、
前記第２電圧供給線は、前記第２電極が前記検出電極として機能する期間に、電圧を供給する配線であり、
前記第１電圧供給線は、前記第２電圧供給線よりも抵抗値が低い、表示装置。
【請求項７】
請求項５又は６に記載の表示装置において、
前記トランジスタを駆動する第２電極駆動回路と、
画素領域に形成された複数の映像信号線と、
周辺領域に形成された複数の引き出し配線と、
を備え、
前記複数の引き出し配線の一つは、前記複数の映像信号線の一つと接続され、
前記複数の引き出し配線は、第１引き出し配線群と第２引き出し配線群とを含み、
前記第１引き出し配線群と前記第２引き出し配線群との間の領域に、前記第１分岐配線と前記第２分岐配線と前記第２電極駆動回路とが形成され、
前記第２電極駆動回路は、前記第１分岐配線と前記第２分岐配線との間にある、表示装置。
【請求項８】
請求項１〜７の何れか一項に記載の表示装置において、
画素領域に形成された複数の映像信号線と、
周辺領域に形成された複数の引き出し配線と、
前記複数の引き出し配線が接続されるドライバチップと、
を備え、
前記分岐配線は、平面視において前記ドライバチップと重畳するｅ配線部を有する、表示装置。
【請求項９】
請求項８に記載の表示装置において、
前記駆動回路と電気的に接続された第２パッドを備え、
前記トランジスタを複数有し、複数の前記トランジスタは第１方向に配列しており、
前記電圧供給線は、ａ配線部とｂ配線部とｃ配線部と前記ｅ配線部とを有し、
前記電圧供給線の他端が前記第２パッドに電気的に接続され、
前記ａ配線部は、前記第１パッドから前記第１方向に交差する第２方向に延在し、
前記ｂ配線部は、前記第２パッドから前記第２方向に延在し、
前記ｃ配線部は、前記第１方向に延在し、前記ａ配線部と前記ｂ配線部との間にあり、
前記ｅ配線部の幅は、前記ａ配線部の幅よりも大きい、表示装置。
【請求項１０】
請求項１〜９の何れか一項に記載の表示装置において、
前記駆動回路と電気的に接続された第２パッドを備え、
前記トランジスタを複数有し、複数の前記トランジスタは第１方向に配列しており、
前記電圧供給線は、ａ配線部とｂ配線部とｃ配線部とを有し、
前記電圧供給線の他端が前記第２パッドに電気的に接続され、
前記ａ配線部は、前記第１パッドから前記第１方向に交差する第２方向に延在し、
前記ｂ配線部は、前記第２パッドから前記第２方向に延在し、
前記ｃ配線部は、前記第１方向に延在し、前記ａ配線部と前記ｂ配線部との間にあり、
前記ｃ配線部の幅は、前記ａ配線部の幅よりも大きい、表示装置。
【請求項１１】
絶縁性基板と、光学素子層と、前記光学素子層を駆動する第１電極及び第２電極と、駆動回路と、を含む表示装置であって、
前記駆動回路と電気的に接続された第１パッドと、
一端が前記第１パッドに電気的に接続された電圧供給線と、
前記電圧供給線と電気的に接続されたトランジスタと、
前記電圧供給線の一部であり、分岐部から延在し、前記第１パッドと電気的に接続された分岐配線と、
前記トランジスタを駆動する第２電極駆動回路と、
画素領域に形成された複数の映像信号線と、
前記複数の映像信号線と電気的に接続された選択回路と、
を備え、
平面視において、前記分岐配線は、前記第１パッドよりも前記絶縁性基板の中央側で、前記トランジスタと電気的に接続され、
平面視において、前記選択回路は、前記画素領域と前記トランジスタとの間に位置し、前記トランジスタは、前記選択回路と前記第２電極駆動回路との間に位置し、前記第２電極駆動回路は、前記トランジスタと前記駆動回路との間に位置する、表示装置。
【請求項１２】
請求項１１に記載の表示装置において、
周辺領域に形成された複数の引き出し配線を備え、
前記複数の引き出し配線の一つは、前記複数の映像信号線の一つと接続され、
前記複数の引き出し配線は、第１引き出し配線群と第２引き出し配線群とを含み、
前記第１引き出し配線群と前記第２引き出し配線群との間の領域に、前記第２電極駆動回路が形成されている、表示装置。
【請求項１３】
請求項１１又は１２に記載の表示装置において、
前記電圧供給線及び前記第２電極に電気的に接続された共通配線を備え、
前記電圧供給線は、第１電圧供給線と第２電圧供給線とを有し、
前記トランジスタは、第１トランジスタと第２トランジスタとを有し、
前記第１電圧供給線は、前記分岐配線としての第１分岐配線を有し、
前記第２電圧供給線は、前記分岐配線としての第２分岐配線を有し、
前記第１電圧供給線は、前記第１トランジスタを介して、前記共通配線と電気的に接続されており、
前記第２電圧供給線は、前記第２トランジスタを介して、前記共通配線と電気的に接続されている、表示装置。
【請求項１４】
請求項１３に記載の表示装置において、
前記第２電極は、画像を表示する表示電極、及び、物体の近接又は接触を検出する検出電極としての機能を有しており、
前記第１電圧供給線は、前記第２電極が前記表示電極として機能する期間に、電圧を供給する配線であり、
前記第２電圧供給線は、前記第２電極が前記検出電極として機能する期間に、電圧を供給する配線であり、
前記第１電圧供給線は、前記第２電圧供給線よりも抵抗値が低い、表示装置。
【請求項１５】
請求項１３又は１４に記載の表示装置において、
前記トランジスタを駆動する第２電極駆動回路と、
画素領域に形成された複数の映像信号線と、
周辺領域に形成された複数の引き出し配線と、
を備え、
前記複数の引き出し配線の一つは、前記複数の映像信号線の一つと接続され、
前記複数の引き出し配線は、第１引き出し配線群と第２引き出し配線群とを含み、
前記第１引き出し配線群と前記第２引き出し配線群との間の領域に、前記第１分岐配線と前記第２分岐配線と前記第２電極駆動回路とが形成され、
前記第２電極駆動回路は、前記第１分岐配線と前記第２分岐配線との間にある、表示装置。